(57)【要約】【課題】小切手等の単票紙に損傷を与えることなく、スキューの発生を防止することができる情報処理装置を提供する。【解決手段】単票紙Ｓの紙面に接触して磁気情報を読み取る磁気読み取り装置６１と、単票紙Ｓの下端を底面でガイドしながら立てた状態で搬送する搬送路Ｐと、単票紙Ｓの紙面に接触する搬送装置５７により搬送路Ｐに沿って単票紙Ｓを搬送する搬送装置と、を備え、磁気読み取り装置と搬送駆動装置５７とが、単票紙Ｓを挟んで搬送するように対向して配置されていることを特徴とする情報処理装置１０。【選択図】図１
2012198789.tif 000002
【特許請求の範囲】
【請求項１】
単票紙の紙面に接触して磁気情報を読み取る磁気読み取り装置と、
単票紙の下端を底面でガイドしながら立てた状態で搬送する搬送路と、
単票紙の紙面に接触して前記搬送路に沿って単票紙を搬送する搬送装置と、を備え、
前記磁気読み取り装置と前記搬送装置とが、単票紙を挟んで搬送するように対向して配置されていることを特徴とする情報処理装置。
【請求項２】
請求項１に記載の情報処理装置であって、
前記磁気読み取り装置及び前記搬送装置は、単票紙の下端近傍に接触するように設けられていることを特徴とする情報処理装置。
【請求項３】
請求項１または２に記載の情報処理装置であって、
前記搬送装置は、前記磁気読み取り装置に向けて弾性的に付勢されていることを特徴とする情報処理装置。
【請求項４】
請求項３に記載の情報処理装置であって、
前記搬送装置は、前記磁気読み取り装置に向けて付勢された駆動ローラーであることを特徴とする情報処理装置。
【請求項５】
請求項３に記載の情報処理装置であって、
前記搬送装置は、複数のローラーに掛け渡された無端ベルトであり、
前記磁気読み取り装置が前記無端ベルトの走行面に付勢されるように、前記磁気読み取り装置は前記ローラーの間に配置されていることを特徴とする情報処理装置。
【請求項６】
単票紙の下端を底面でガイドしながら立てた状態で搬送する搬送路と、
単票紙の他方の面に接触して単票紙を前記搬送路に沿って搬送する搬送装置と、
単票紙の一方の面に接触して単票紙の磁気情報を読み取る磁気読み取り装置と、を備えた磁気読み取り装置の配置構造であって、
前記磁気読み取り装置及び前記搬送装置は、前記磁気読み取り装置の単票紙との接触面と、前記搬送装置の単票紙との接触面とが、前記搬送路を介して対向するように、配置されていることを特徴とする磁気読み取り装置の配置構造。
【請求項７】
請求項６に記載の磁気読み取り装置の配置構造であって、
前記磁気読み取り装置の単票紙との前記接触面及び前記搬送装置の単票紙との前記接触面は、単票紙の下端近傍に位置することを特徴とする磁気読み取り装置の配置構造。
【請求項８】
請求項６または７に記載の磁気読み取り装置の配置構造であって、
前記搬送装置は、前記磁気読み取り装置に向けて弾性的に付勢されていることを特徴とする磁気読み取り装置の配置構造。
【請求項９】
請求項８に記載の磁気読み取り装置の配置構造であって、
前記搬送装置は、前記磁気読み取り装置に向けて付勢された駆動ローラーであることを特徴とする磁気読み取り装置の配置構造。
【請求項１０】
請求項８に記載の磁気読み取り装置の配置構造であって、
前記搬送装置は、複数のローラーに掛け渡された無端ベルトであり、
前記磁気読み取り装置が前記無端ベルトの走行面に付勢されるように、前記磁気読み取り装置は前記ローラーの間に配置されていることを特徴とする磁気読み取り装置の配置構造。
【発明の詳細な説明】
【技術分野】
【０００１】
本発明は情報処理装置及び磁気読み取り装置の配置構造に関する。
【背景技術】
【０００２】
入金処理や出金処理といった銀行業務において、小切手を利用した決済システムが利用されている。小切手を介してこれらの処理を行うには、銀行窓口で、小切手に記載された日付や署名を確認し、必要な入金処理や出金処理を終えた後に小切手の裏面に裏書きをする。銀行窓口においては、このような処理を短時間に大量に処理することが求められている。
【０００３】
近年、これらの処理を電子的に行うことが試みられている。小切手の磁気情報をＭＩＣＲ（Magnetic-Ink Character Reader）といった磁気スキャナーで読み取り、印刷装置で裏書きをするというものである。このように小切手の処理を電子的に行う装置として、小切手を搬送するU字型の搬送路を備え、小切手を立てた状態で搬送する小切手処理装置が、特許文献１等により知られている。
【先行技術文献】
【特許文献】
【０００４】
【特許文献１】特開２００５−３５０２６８号公報
【発明の概要】
【発明が解決しようとする課題】
【０００５】
ところで、特許文献１は小切手の磁気情報の読み取り精度を向上させるために、磁気スキャナーの上流側と下流側に搬送ローラー対を設け、これらの搬送ローラー対の回転軸を搬送路に対して傾斜するように配置し、上流側の搬送ローラー対で小切手の先端側一側縁を搬送路の底面であるガイド面に押し付け、下流側の搬送ローラー対で小切手の後端側一側縁を摺動ガイド面に押し付けることにより、スキューの防止を実現している。
【０００６】
しかしながら、特許文献１に記載の小切手処理装置では、小切手を搬送路に対して積極的に斜行させているので、磁気スキャナーが磁気情報を扇状に読み取ってしまったり、小切手の一側縁が摺動ガイド面により摩滅したりする虞があった。また、摩滅した小切手の磁気情報を読み取る時は損傷した紙端が摺動ガイド面に押し付けられるので、磁気スキャナーの読み取り位置が磁気情報が記載された箇所を外れて、磁気情報を読み取れない虞があった。
【０００７】
そこで本発明は、小切手等の単票紙に損傷を与えることなく、スキューの発生を防止することができる情報処理装置及び磁気読み取り装置の配置構造を提供することを目的とする。
【課題を解決するための手段】
【０００８】
上記課題を解決することのできる本発明の情報処理装置は、
単票紙の紙面に接触して磁気情報を読み取る磁気読み取り装置と、
単票紙の下端を底面でガイドしながら立てた状態で搬送する搬送路と、
単票紙の紙面に接触して前記搬送路に沿って単票紙を搬送する搬送装置と、を備え、
前記磁気読み取り装置と前記搬送装置とが、単票紙を挟んで搬送するように対向して配置されていることを特徴とする。
【０００９】
かかる情報処理装置によれば、単票紙に搬送力を作用させる搬送装置と、単票紙に摩擦力を作用させる前記磁気読み取り装置とが、単票紙を挟んで搬送するように対向して配置されている。単票紙には、互いに逆方向の搬送力と摩擦力が作用するが、これら搬送力と摩擦力の作用点は略一致しているので、単票紙の紙面方向に回転モーメントが発生しない。よって、スキューの発生を防止することができる。また、搬送装置は搬送路に沿って単票紙を搬送するので、単票紙を損傷させる虞もない。したがって、単票紙に損傷を与えず、かつ、スキューの発生を防止できる情報処理装置を提供することができる。
【００１０】
上述の情報処理装置において、
前記磁気読み取り装置及び前記搬送装置は、単票紙の下端近傍に接触するように設けられていてもよい。
かかる情報処理装置によれば、搬送装置が単票紙の下端近傍に接触するので、搬送力の作用点を、単票紙の下端と搬送路の底面との間に発生する摩擦力の作用点に近づけることができる。したがって、単票紙に回転モーメントを発生させず、更に安定的にスキューの発生を防止することが出来る。
【００１１】
上述の情報処理装置において、
前記搬送装置は、前記磁気読み取り装置に向けて弾性的に付勢されていてもよい。
かかる情報処理装置によれば、単票紙が搬送装置により磁気読み取り装置に押し付けられるので、搬送装置は安定して単票紙を搬送することができ、また、磁気読み取り装置は精度良く磁気情報を読み取ることができる。
【００１２】
上述の情報処理装置において、
前記搬送装置は、前記磁気読み取り装置に向けて付勢された駆動ローラーであってもよい。
かかる情報処理装置によれば、ローラーといった簡易な構造で搬送装置を構成することができるので、低コストでかかる情報処理装置を提供することができる。
【００１３】
上述の情報処理装置において、
前記搬送装置は、複数のローラーに掛け渡された無端ベルトであり、
前記磁気読み取り装置が前記無端ベルトの走行面に付勢されるように、前記磁気読み取り装置は前記ローラーの間に配置されていてもよい。
かかる情報処理装置によれば、無端ベルトの走行面で磁気読み取り装置を付勢することにより、単票紙の広い面積を磁気読み取り装置に押し付けることができる。したがって、搬送装置は更に安定して単票紙を搬送することができ、また、磁気読み取り装置は更に精度良く磁気情報を読み取ることができる。
【００１４】
さらに、上記課題を解決することのできる本発明の磁気読み取り装置の配置構造は、
単票紙の下端を底面でガイドしながら立てた状態で搬送する搬送路と、
単票紙の他方の面に接触して単票紙を前記搬送路に沿って搬送する搬送装置と、
単票紙の一方の面に接触して単票紙の磁気情報を読み取る磁気読み取り装置と、を備えた磁気読み取り装置の配置構造であって、
前記磁気読み取り装置及び前記搬送装置は、前記磁気読み取り装置の単票紙との接触面と、前記搬送装置の単票紙との接触面とが、前記搬送路を介して対向するように、配置されていることを特徴とする。
【００１５】
かかる磁気読み取り装置の配置構造によれば、単票紙に搬送力を作用させる前記搬送装置の単票紙との接触面と単票紙に摩擦力を作用させる前記磁気読み取り装置の単票紙との接触面とが、前記搬送路を介して対向する。単票紙には、互いに逆方向の搬送力と摩擦力が作用するが、これら搬送力と摩擦力の作用点は略一致しているので、単票紙の紙面方向に回転モーメントが発生しない。よって、スキューの発生を防止することができる。また、搬送装置は搬送路に沿って単票紙を搬送するので、単票紙を損傷させる虞もない。したがって、単票紙に損傷を与えず、かつ、スキューの発生を防止できる磁気読み取り装置の配置構造を提供することができる。
【００１６】
上述の磁気読み取り装置の配置構造において、
前記磁気読み取り装置の単票紙との前記接触面及び前記搬送装置の単票紙との前記接触面は、単票紙の下端近傍に位置させてもよい。
かかる磁気読み取り装置の配置構造によれば、搬送装置の単票紙との接触面が単票紙の下端近傍に位置するので、搬送力の作用点を、単票紙の下端と搬送路の底面との間に発生する摩擦力の作用点に近づけることができる。したがって、単票紙に回転モーメントを発生させず、更に安定的にスキューの発生を防止することができる。
【００１７】
上述の磁気読み取り装置の配置構造において、
前記搬送装置は、前記磁気読み取り装置に向けて弾性的に付勢されていてもよい。
かかる磁気読み取り装置の配置構造によれば、単票紙が搬送装置により磁気読み取り装置に押し付けられるので、搬送装置は安定して単票紙を搬送することができ、また、磁気読み取り装置は精度良く磁気情報を読み取ることができる。
【００１８】
上述の磁気読み取り装置の配置構造において、
前記搬送装置は、前記磁気読み取り装置に向けて付勢された駆動ローラーであってもよい。
かかる磁気読み取り装置の配置構造によれば、ローラーといった簡易な構造で搬送装置を構成することができるので、低コストでかかる磁気読み取り装置の配置構造を構成することができる。
【００１９】
上述の磁気読み取り装置の配置構造において、
前記搬送装置は、複数のローラーに掛け渡された無端ベルトであり、
前記磁気読み取り装置が前記無端ベルトの走行面に付勢されるように、前記磁気読み取り装置は前記ローラーの間に配置されていてもよい。
かかる磁気読み取り装置の配置構造によれば、無端ベルトの走行面で磁気読み取り装置を付勢することにより、単票紙の広い面積を磁気読み取り装置に押し付けることができる。したがって、搬送装置は更に安定して単票紙を搬送することができ、また、磁気読み取り装置は更に精度良く磁気情報を読み取ることができる。
【図面の簡単な説明】
【００２０】
【図１】本発明の実施形態に係る小切手処理装置の上面カバーを外した状態を示す上面図である。
【図２】図１に示す小切手処理装置の磁気スキャナ周辺を示す要部拡大図である。
【図３】図１のIII−III断面図である。
【図４】図２のIV−IV線から押し付けローラーを見た側面図である。
【図５】本発明の変形例に係る小切手処理装置の要部上面図である。
【発明を実施するための形態】
【００２１】
以下、本発明にかかる情報処理装置及び磁気読み取り装置の配置構造を小切手処理装置に適用した実施形態の例を添付図面を参照して説明する。
【００２２】
＜全体構造＞
図１は、本実施形態に係る小切手処理装置１０の上面カバーを外した状態を示す上面図である。小切手処理装置１０には、図１に示すように、略Ｕ字状の搬送路Ｐを備えている。搬送路Ｐは、複合型処理装置の本体フレーム２の上に形成された内側筐体３ａ及び外側筐体３ｂとの間に形成された溝として形成されており、小切手Ｓの下端を底面３ｃ（図３参照）でガイドして小切手Ｓを立てた状態で搬送する。
【００２３】
搬送路Ｐの上流端には、搬送路Ｐに搬送される小切手（単票紙）Ｓを収容する給紙ユニット４が設けられている。給紙ユニット４は、上方に開口した給紙空間４１と、給紙空間４１内に互いに対向するように設けられた押圧部材４２及び給紙ローラー４３とを備えている。押圧部材４２は小切手Ｓを給紙ローラー４３側に押圧し、図示せぬ送り出しモーターにより駆動される給紙ローラー４３は小切手Ｓを搬送路Ｐに送り出す。なお小切手Ｓは、磁気情報が書き込まれた処理面が搬送路Pの外側（外側筐体３ｂ側）を向くように、給紙空間４１内に立てた状態で配置される。
【００２４】
搬送路Ｐの上流側には、給紙ユニット４から送られてきた小切手Ｓを送り出す送り出しローラー５１ｂと、送り出しローラー５１ｂと搬送路Ｐを介して向かい合うリタードローラー５１ａとが設けられている。送り出しローラー５１ｂは、送り出しモーターにより駆動され、給紙ローラー４３と同期して回転される。リタードローラー５１ａは送り出しローラー５１ｂ側に付勢されており、小切手Ｓを一枚ずつ立てた状態で搬送路Ｐに送り出す。
【００２５】
更に小切手処理ユニット１０は、搬送路Ｐに沿って設けられた複数の搬送ローラー対５２〜５６と、後述する磁気スキャナー６１に小切手Ｓを押し付ける押し付けローラー（搬送装置）５８と、を有する搬送機構を備えている。搬送機構は、搬送ローラー対５２〜５６及び押し付けローラー５８が小切手Ｓの紙面に接触し、駆動モーター５０からの搬送力を小切手Ｓに作用させ、小切手Ｓを立てた状態で搬送路Ｐに沿って搬送する。
【００２６】
搬送ローラー対５２〜５６はそれぞれ、内側筐体３ａ側に設けられた駆動ローラー５２ａ，５３ａ，５４ａ，５５ａ，５６ａと、外側筐体３ｂ側に搬送路Ｐを介して対向するように設けられた従動ローラー５２ｂ，５３ｂ，５４ｂ，５５ｂ，５６ｂとを備えている。駆動ローラー５２ａ，５３ａ，５４ａ，５５ａ，５６ａは、無端ベルト５７を介して、駆動モーター５０によりそれぞれが同期して回転駆動される。また、従動ローラー５２ｂ，５３ｂ，５４ｂ，５５ｂ，５６ｂは、図示せぬ付勢部材により、対向する駆動ローラー５２ａ〜５６ａ側に弾性的に付勢されている。
【００２７】
図２は、磁気スキャナー６１を説明するために、図１に示す小切手処理装置１０の磁気スキャナー６１周辺を取り出して示す要部拡大図である。また、図３は図１のIII−III断面図である。図２に示すように、搬送ローラー対５２の下流側には、小切手Ｓに磁気インク等で書き込まれた磁気情報を読み取り可能なＭＩＣＲ等の磁気スキャナー（磁気読み取り装置）６１が設けられている。この磁気スキャナー６１は、磁気読み取り面６１ａと押し付けローラー５８とで小切手Ｓを挟んで搬送するように対向して外側筐体３ｂに配置されている。
【００２８】
また、押し付けローラー５８には、駆動ローラー５２ａに一端が固定されたアーム（付勢部材）５９ａが接続されている。このアーム５９ａにはバネ等の付勢手段５９ｂが取り付けられており、押し付けローラー５８はアーム５９ａを介して弾性的に磁気スキャナー６１へ押し付けられている。また、押し付けローラー５８は無端ベルト５９ｃを介して搬送ローラー５２ａと接続されており、搬送ローラー５２ａの駆動力が押し付けローラー５８に伝達される。したがって押し付けローラー５８は、小切手Ｓを磁気スキャナー６１の磁気読み取り面６１ａに押し付けながら下流側へ搬送する。このように、小切手Ｓが押し付けローラー５８により磁気読み取り面６１ａに押し付けられるので、磁気読み取り面６１ａは確実に小切手Ｓに接触し、精度良く磁気情報を読み取ることができる。
【００２９】
また図３に示すように、押し付けローラー５８の回転軸Ａｘが鉛直方向に延びるように搬送路Ｐと直交して押し付けローラー５８が配置されているので、小切手Ｓの下端を搬送路Ｐの底面３ｃに押し付けることなく、小切手Ｓを搬送路Ｐに沿って搬送することができる。したがって小切手Ｓを損傷させることなく搬送することができる。ここで、図３の如く押し付けローラー５８の接触面の軸方向長さを磁気スキャナー６１の磁気読み取り面６１ａの高さよりも大きく設定しておくと、小切手Ｓを安定的に搬送することができるので好ましい。
【００３０】
磁気スキャナー６１の下流側には、印刷面が搬送路Ｐを向くように設けられた印刷ユニット７０が設けられている。印刷ユニット７０には、インクジェット式やサーマル式の印刷ヘッドを用いることができる。また、ライン型の印刷ヘッドを印刷ユニット７０に用いると、小切手処理装置１０をコンパクトに形成できるので好ましい。
【００３１】
磁気スキャナー６１の下流側で第３，４搬送ローラー対５４，５５の間には、小切手Ｓの両面の画像情報を読み取る光学スキャナー８０が設けられている。これら光学スキャナー８０はそれぞれ内側筐体３ａ，外側筐体３ｂに、互いの読み取り面が搬送路Ｐを挟んで向かい合うように設けられている。
【００３２】
搬送路Ｐの下流端には処理済みの小切手Ｓを収容する排紙ユニット９が設けられている。排紙ユニット９は上方に開口しており、排出されてきた小切手Ｓを上方から取り出すことができる。
【００３３】
＜基本動作＞
以上のように構成された小切手処理装置１０によれば、給紙ユニット４の給紙空間４１に投入された小切手Ｓは、押圧部材４２及び給紙ローラー４３により搬送路Ｐに送り出され、リタードローラー５１ａ及び送り出しローラー５１ｂにより一枚ずつ立てた状態で搬送路Ｐに送り出される。
【００３４】
給紙ユニット４から一枚ずつ送り出された小切手Ｓは、搬送ローラー対５２〜５６及び押し付けローラー５８等から構成される搬送機構により搬送されながら、磁気スキャナー６１、印刷ユニット７０、光学スキャナー８０を通過し、磁気情報や画像情報が読み取られ、また必要な情報が印刷されて、排紙ユニット９に排出される。
【００３５】
＜小切手の搬送動作＞
図３に示すように、本実施形態に係る小切手処理装置１０において、磁気スキャナー６１と押し付けローラー５８とが、小切手Ｓを挟んで搬送するように対向して配置されている。つまり、磁気スキャナー６１及び押し付けローラー５８は、磁気スキャナー６１の小切手Ｓとの接触面である磁気読み取り面６１ａと、押し付けローラー５８の小切手との接触面とが、搬送路Ｐを介して対向するように配置されている。
【００３６】
図４は図２のIV−IV線から押し付けローラー５８を見た側面図であり、小切手Ｓに作用する力搬送力Ｆ１及び摩擦力Ｆ２を示している。なお、図４においては、押し付けローラー５８に対向して配置される磁気スキャナー６１を、破線で示している。前述したように、押し付けローラー５８はアーム５９ａにより弾性的に磁気スキャナー６１へ押し付けられて小切手Ｓの一方の面に接触する。一方、磁気スキャナー６１は押し付けローラー５８と対向して配置されているので、磁気スキャナー６１は小切手Ｓの他方の面に接触する。
【００３７】
押し付けローラー５８は無端ベルト５９ｃを介して駆動モーター５０により駆動されて、図４に示すように、小切手Ｓの一方の面に搬送方向下流側へ向かう搬送力Ｆ１を作用させる。一方、小切手Ｓの他方の面には磁気スキャナー６１の磁気読み取り面６１ａが接触しているので、搬送力Ｆ１に対向する方向に摩擦力Ｆ２が生じる。この搬送力Ｆ１の作用点は押し付けローラー５８と小切手Ｓとの接触領域であり、摩擦力Ｆ２の作用点は押し付けローラー５８と対向する磁気読み取り面６１ａと小切手Ｓとの接触領域である。
【００３８】
ここで、搬送力Ｆ１と摩擦力Ｆ２とは互いに逆方向に作用するが、磁気スキャナー６１と押し付けローラー５８とが対向配置されているので、搬送力Ｆ１が作用する作用点（接触領域）と摩擦力Ｆ２が作用する作用点（接触領域）が略一致されている。したがって、小切手Sの紙面方向に回転モーメントが発生せず、スキューの発生を防止することができる。また、このように小切手Ｓに回転モーメントが作用せず、押し付けローラー５８も搬送路Ｐに沿って小切手Ｓを搬送するので、小切手Ｓの紙端が搬送路Ｐの底面３ｃに押し付けられず、小切手Ｓの損傷を防止できる。
【００３９】
以上、本発明をその実施形態を用いて説明したが、本発明の技術的範囲は上記実施形態に記載の範囲には限定されない。上記実施形態に多様な変更または改良を加えることができることは、当業者にとって明らかである。
【００４０】
＜変形例＞
上述の説明では、搬送装置として押し付けローラー５８を採用した例を挙げて説明したが、本発明はこれに限られない。例えば、図５に示すように、搬送装置としてベルト押し付け機構１００を採用してもよい。
【００４１】
図５は、本発明の変形例に係る小切手処理装置１０Ａのベルト押し付け機構１００を示す要部上面図である。なお、上述の実施形態と本変形例は、ベルト押し付け機構１００のみが異なるので、その他の部位に係る説明は省略する。
【００４２】
ベルト押し付け機構１００は、搬送路Ｐに沿って配列された一対のローラー１０１，１０２と、該ローラー１０１，１０２に掛け渡された押し付けベルト（無端ベルト）１０３とを備えている。一方のローラー１０１は駆動モーター５０の回転力を伝達する無端ベルト５７により回転駆動され、押し付けベルト１０３を介して他方のローラー１０２が回転される。
【００４３】
このベルト押し付け機構１００と磁気スキャナー６１とは、小切手Ｓを挟んで搬送するように対向して配置されている。具体的には、このベルト押し付け機構１００に対して、磁気スキャナー６１が押し付けベルト１０３の走行面に付勢されるように、磁気スキャナー６１はローラー１０１，１０２の間に配置されている。
【００４４】
このように、磁気読み取り面６１ａに沿って湾曲可能な押し付けベルト１０３の走行面で小切手Ｓを磁気スキャナーに押し付けることにより、小切手Ｓの広い面積を磁気読み取り面６１ａに押し付けることができる。したがって、ベルト押し付け機構１００による搬送力をより確実に小切手Ｓに作用させることができ、かつ、磁気スキャナー６１が更に精度良く小切手Ｓの磁気情報を読み取ることができる。
【００４５】
なお、上述の説明では、磁気スキャナー６１の他に印刷ユニット７０や光学スキャナー８０を搭載した小切手処理装置１０を例に挙げて説明したが、印刷ユニット７０や光学スキャナー８０を搭載しない処理装置にも本発明を適用できることは勿論である。また、単票紙として小切手を処理する小切手処理装置１０を例に挙げて説明したが、磁気情報が書き込まれたクーポン等を処理する装置等、磁気情報を処理する装置に本発明を適用できることは勿論である。
【符号の説明】
【００４６】
Ｓ：小切手、Ｐ：搬送路、１０：小切手処理ユニット（情報処理装置）、２：本体フレーム、３ａ：内側筐体、３ｂ：外側筐体、４：給紙ユニット、４１：給紙空間、４２：押圧部材、４３：給紙ローラー、５０：駆動モーター、５１ａ：リタードローラー、５１ｂ：送り出しローラー、５２ａ，５３ａ，５４ａ，５５ａ，５６ａ：駆動ローラー、５２ｂ，５３ｂ，５４ｂ，５５ｂ，５６ｂ：従動ローラー、５７：無端ベルト、５８：押し付けローラー（搬送装置）、５９ａ：アーム、５９ｂ：付勢部材、５９ｃ：無端ベルト、６１：磁気スキャナー（磁気読み取り装置）、７０：印刷ユニット、８０：光学スキャナー、９：排紙ユニット、１００：押し付けベルト機構（搬送装置）、１０１，１０２：ローラー、１０３：押し付けベルト（無端ベルト）
【図１】
2012198789.tif 000003
【図２】
2012198789.tif 000004
【図３】
2012198789.tif 000005
【図４】
2012198789.tif 000006
【図５】
2012198789.tif 000007